(57)【要約】      （修正有）【課題】発光ダイオード（ＬＥＤ）ランプ装置に係り、特に特定の波長域で光線を吸収することが可能なランプ装置を提供する。【解決手段】ランプ装置は、支持フレーム１１０と、発光ダイオード（ＬＥＤ）アレイソース１２０と、ライトフィルタ１２８と、２つのエンドキャップ１３０と２組の電極１４０を備える。ＬＥＤアレイソースは支持フレームに配置されている。ライトフィルタは円弧形状であり、管状構造１０８として支持フレームに組み合わされており、ライトフィルタの円弧表面はＬＥＤアレイソースの光出射表面である。ライトフィルタは、ＬＥＤアレイソースの出射光の特定の波長域の光線を吸収するために用いられている。２つのエンドキャップは、管状構造の２つの端にそれぞれ配置される。２組の電極は、管状構造の２つの端に配置され、ＬＥＤアレイソースに電気的に接続するために、２つのエンドキャップにそれぞれ実装されている。【選択図】図１
2012104480.tif 000002
【特許請求の範囲】
【請求項１】
支持フレームと、
前記支持フレームに配置されたＬＥＤアレイソースと、
前記ＬＥＤアレイソースの出射光の特定の波長域の中で光線を吸収するための管状構造として前記支持フレームに接続され、円弧形状とされ、その円弧形状の表面が前記ＬＥＤアレイソースのライト出射表面であるライトフィルタと、
前記管状構造の２つの端にそれぞれ配置された２つのエンドキャップと、
前記管状構造の２つの端に配置され、前記ＬＥＤアレイソースに電気的に接続されるために２つのエンドキャップにそれぞれ実装された２組の電極と、
を備えたランプ装置。
【請求項２】
前記ＬＥＤアレイソースは、回路基板と複数のＬＥＤ群を備え、前記回路基板は前記支持フレームの上に前記ＬＥＤ群を固定するために用いられる請求項１に記載のランプ装置。
【請求項３】
前記ＬＥＤ群はアレイの形式で前記回路基板に配置される請求項２に記載のランプ装置。
【請求項４】
前記支持フレームは、熱分散金属により形成されている請求項１に記載のランプ装置。
【請求項５】
前記特定の波長域の中の光線とは紫外線である請求項１に記載のランプ装置。
【請求項６】
平板形状で上方表面と下方表面を有する支持フレームを備え、前記支持フレームの４つの側面は前記上方表面及び下方表面に接続されており、互いに平行な前記支持フレームの第１側面及び第３側面と、互いに平行な前記支持フレームの第２側面と第４側面とを有し、前記支持フレームは、第１カバー及び第２カバーをそれぞれ形成するために、第１側面及び第３側面から上方表面に垂直方向に上方に延びており、前記第１カバー及び第２カバーは、共に内壁を有しており、
前記第１カバーの内壁に配置された第１ＬＥＤアレイソースと、
前記第２カバーの内壁に配置された第２ＬＥＤアレイソースと、
前記支持フレームの上方表面に配置されたリフレクタと、
前記リフレクタの上に配置されたライトガイドプレートと、を備え、
前記ライトガイドプレートの前記２つの側面の光入射表面は、前記第１及び第２のＬＥＤアレイソースの出射光を前記ライトガイドプレートの光出射表面に向けてガイドするように、前記第１及び第２のＬＥＤアレイソースにそれぞれ向かい合っており、
前記第１及び第２のＬＥＤアレイソースの出射光の特定の波長域の光線を吸収するために、前記第１及び第２ＬＥＤアレイソースと前記ライトガイドプレートの前記２つの側面の前記光入射表面との間にそれぞれ配置される２つのライトフィルタと、
を備えたランプ装置。
【請求項７】
前記第１及び第２のＬＥＤアレイソースは、それぞれ回路基板と複数のＬＥＤ群を備え、前記回路基板は前記第１カバー及び第２カバーの前記内壁に前記ＬＥＤ群を固定するために用いられる請求項６に記載のランプ装置。
【請求項８】
前記ＬＥＤ群はアレイの形式で前記回路基板に配置される請求項６に記載のランプ装置。
【請求項９】
前記支持フレームは、熱分散金属により形成されている請求項６に記載のランプ装置。
【請求項１０】
前記特定の波長域の中の光線とは紫外線である請求項６に記載のランプ装置。
【請求項１１】
前記ライトガイドプレートに配置される光学フィルムを更に備えた請求項６に記載のランプ装置。
【請求項１２】
前記光学フィルムは、ディフューザー、プリズム、或いはそれらの組み合わせである請求項１１に記載のランプ装置。
【請求項１３】
平板形状で上方表面と下方表面を有する支持フレームを備え、前記支持フレームの４つの側面は前記上方表面及び下方表面に接続されており、前記４つの側面は、互いに平行な第１側面及び第３側面と、互いに平行な第２側面と第４側面とを有し、前記支持フレームは、第１カバー及び第２カバーをそれぞれ形成するために、第１側面及び第３側面から上方表面に垂直方向に上方に延びており、前記第１カバー及び第２カバーは、共に内壁を有しており、
前記第１カバーの内壁に配置された第１ＬＥＤアレイソースと、
前記第２カバーの内壁に配置された第２ＬＥＤアレイソースと、
前記支持フレームの上方表面に配置されたリフレクタと、
前記リフレクタの上に配置されたライトガイドプレートと、を備え、
前記ライトガイドプレートの前記２つの側面の光入射表面は、前記第１及び第２のＬＥＤアレイソースの出射光を前記ライトガイドプレートの光出射表面に向けてガイドするように、前記第１及び第２のＬＥＤアレイソースにそれぞれ向かい合っており、
前記第１及び第２のＬＥＤアレイソースの出射光の特定の波長域の光線を吸収するために、前記ライトガイドプレートの前記光入射表面に配置されるライトフィルタと、
を備えたランプ装置。
【請求項１４】
前記第１及び第２のＬＥＤアレイソースは、それぞれ回路基板と複数のＬＥＤ群を備え、前記回路基板は前記支持フレームに前記ＬＥＤ群を固定するために用いられる請求項１３に記載のランプ装置。
【請求項１５】
前記ＬＥＤ群はアレイの形式で前記回路基板に配置される請求項１４に記載のランプ装置。
【請求項１６】
前記支持フレームは、熱分散金属により形成されている請求項１３に記載のランプ装置。
【請求項１７】
前記特定の波長域の中の光線とは紫外線である請求項１３に記載のランプ装置。
【請求項１８】
前記ライトガイドプレートに配置される光学フィルムを更に備えた請求項１３に記載のランプ装置。
【請求項１９】
前記光学フィルムは、ディフューザー、プリズム、或いはそれらの組み合わせである請求項１８に記載のランプ装置。
【発明の詳細な説明】
【技術分野】
【０００１】
この出願は、２０１０年１１月５日に出願された米国仮出願Ｎｏ．６１／４１０，５１１及び２０１１年２月９日に出願された台湾出願Ｎｏ．１００１０４３４０の利益を主張し、それらの主題は参照によりここに組み込まれる。
本発明は、一般に発光ダイオード（ＬＥＤ）ランプ装置に係り、特に特定の波長域で光線を吸収することが可能なランプ装置に関する。
【背景技術】
【０００２】
一般に、照明を提供するＬＥＤ光源は、大多数は平面的なランプ装置或いは管状ランプのような様々なタイプのランプ構造で用いられてよい。平面的なランプ装置は、平面的なライトビームを生成するために横の側面上向きに配置されたＬＥＤ光源により出射される光を反射するために、内部にライトガイドプレートを有している。管状のランプは、ＬＥＤ光源の光出射表面を介して外部へ光を出射する。そのカバーが湾曲している管状のランプは、従来の蛍光灯に取って代わって用いられている。
【０００３】
しかしながら、大きな駆動電力を必要とする、特定の波長の蛍光灯は、短い寿命、高い取り替え頻度を有し、コスト高を招く。特定の波長の蛍光灯が用いられているとき、紫外線波長帯の光が生成され、ランプ管の表面をカプセルに包む特定のプラスチックフィルムの上に射出され、更に特定のプラスチックフィルムを老化させる原因となる。その上、製造工程の間、照射波長の光をフィルタできない劣化したプラスチックフィルムは、感光性物質を逃す原因となり、製造工程の適合率に影響を及ぼす。
【０００４】
"蛍光灯ランプ及びフラットランプ"とタイトルが付けられた米国特許公開第２００７００５７６１２号は、ガスで満たされた閉ざされたチャンバーを備えた透明なランプと、透明なランプの反対端に配置された一対の電極と、紫外光を実質的に十分に反射するためのチャンバーの内壁に配置された誘電性の全方向リフレクタの層と、可視光を形成するために紫外光に反応するために誘電性の全方向リフレクタの層の上に配置される蛍光灯の層と、を備える蛍光灯ランプが開示されている。
【０００５】
"寿命の間、低減された色変化を有する表示装置"とタイトルが付けられた米国特許第７０３０５４９号では、くぼみと、ＵＶ放射線の少なくともいくつかの波長で発生される物質を収容できる透明なガラスボディとを備えた、高負荷の蛍光灯ランプが開示されている。蛍光体の大多数はガラスボディの内部表面に配置されており、蛍光体の大多数がＵＶ放射線への照射によって可視的な放射線を発する。蛍光体の大多数のうちの少なくとも１つは、利用可能かもしれないＵＶ放射線のいくつかの波長の少なくとも１つのうちの１つへの長期的な照射により劣化することがある。劣化を前提として蛍光体の大多数の少なくとも１つは、第１の層を作るガラスボディの内部の表面に隣接してインストールされ、蛍光体の大多数の残りは第２の層を作るために第１の層に配置され、第２の層がＵＶ放射線への照射により長期的に劣化することはない。
【先行技術文献】
【特許文献】
【０００６】
【特許文献１】米国特許公開第２００７００５７６１２号公報
【特許文献２】米国特許第７０３０５４９号公報
【発明の概要】
【発明が解決しようとする課題】
【０００７】
本発明は、特定波長の光線が漏れ、製造工程の歩留まり率に影響を与えないように、特定の波長域の光線を吸収するために用いられ、従来型の蛍光灯にとって代わる、ランプ装置に方向付けられる。
【課題を解決するための手段】
【０００８】
本発明の一つの態様によれば、支持フレームと、発光ダイオード（ＬＥＤ）アレイソースと、ライトフィルタと、２つのエンドキャップと２組の電極を含むランプ装置が提供される。ＬＥＤアレイソースは、支持フレームの上に配置されている。ライトフィルタは円弧形状であり、管状構造として支持フレームと組み合わされており、ライトフィルタの円弧表面はＬＥＤアレイソースの光出射表面となっている。ライトフィルタは、ＬＥＤアレイソースの出射光の特定の波長域の光線を吸収するために用いられる。２つのエンドキャップは、管状構造の２つの端にそれぞれ配置されている。２組の電極は、管状構造の２つの端に配置されており、ＬＥＤアレイソースに電気的に接続するために２つのエンドキャップにそれぞれ実装されている。
【０００９】
本発明の選択的な態様によれば、支持フレームと、第１ＬＥＤアレイソースと、第２ＬＥＤアレイソースと、リフレクタと、ライトガイドプレートと２つのライトフィルタを含むランプ装置が提供される。支持フレームは、平板形状である。支持フレームは、上方の表面と下方の表面を有し、支持フレームの４つの側面は上方の表面と下方の表面に接続されている。４つの側面は、互いに平行な第１側面及び第３側面と、互いに平行な第２側面及び第４側面を含み、支持フレームは第１カバー及び第２カバーをそれぞれ形成するために、第１側面及び第３側面から上方表面に垂直方向に上方に延びており、前記第１カバー及び第２カバーは共に内壁を有している。第１ＬＥＤアレイソースは第１カバーの内壁に配置されている。第２ＬＥＤアレイソースは第２カバーの内壁に配置されている。リフレクタは、支持フレームの上方の表面に配置されている。ライトガイドプレートはリフレクタの上に配置されており、ライトガイドプレートの２つの側面の光入射表面は、第１及び第２のＬＥＤアレイソースの出射光をライトガイドプレートの光出射表面に向けてガイドするように、第１及び第２のＬＥＤアレイソースにそれぞれ向かい合っている。２つのライトフィルタは、第１及び第２のＬＥＤアレイソースの出射光の特定の波長域の光線を吸収するために、第１及び第２ＬＥＤアレイソースとライトガイドプレートの２つの側面の光入射表面との間にそれぞれ配置されている。
【００１０】
本発明の選択的な態様によれば、支持フレームと、第１ＬＥＤアレイソースと、第２ＬＥＤアレイソースと、リフレクタと、ライトガイドプレートとライトフィルタを含むランプ装置が提供される。支持フレームは、平板形状である。支持フレームは、上方の表面と下方の表面を有し、支持フレームの４つの側面は上方の表面と下方の表面に接続されている。４つの側面は、互いに平行な第１側面及び第３側面と、互いに平行な第２側面及び第４側面を含み、支持フレームは第１カバー及び第２カバーをそれぞれ形成するために、第１側面及び第３側面から上方表面に垂直方向に上方に延びており、前記第１カバー及び第２カバーは共に内壁を有している。第１ＬＥＤアレイソースは第１カバーの内壁に配置されている。第２ＬＥＤアレイソースは第２カバーの内壁に配置されている。リフレクタは、支持フレームの上方の表面に配置されている。ライトガイドプレートは、リフレクタの上に配置されており、ライトガイドプレートの２つの側面の光入射表面は、第１及び第２のＬＥＤアレイソースの出射光をライトガイドプレートの光出射表面に向けてガイドするように、第１及び第２のＬＥＤアレイソースにそれぞれ向かい合っている。ライトフィルタは、第１及び第２のＬＥＤアレイソースの出射光の特定の波長域の光線を吸収するために、ライトガイドプレートの光入射表面に配置されている。
【００１１】
本発明の上述の及び他の態様は、好ましい実施形態に係る以下の詳細な説明により理解されるが、実施形態に限定されるものではない。以下の説明は、添付図面を参照してなされる。
【図面の簡単な説明】
【００１２】
【図１】図１は第１の実施形態に従ったランプ装置の概念図を示す。
【図２Ａ】図２Ａは第２の実施形態に従ったランプ装置の概念図を示す。
【図２Ｂ】図２Ｂは第２の実施形態に従ったランプ装置の断面図を示す。
【図３Ａ】図３Ａは第３の実施形態に従ったランプ装置の概念図を示す。
【図３Ｂ】図３Ｂは第３の実施形態に従ったランプ装置の断面図を示す。
【図４】図４は実施形態に従ったライトフィルタにより特定の波長域の光線が吸収された後の光束の系統図を示す。
【発明を実施するための形態】
【００１３】
第１の実施形態：管状ランプ
【００１４】
図１を参照するに、第１の実施形態に従ったランプ装置の概念図が示されている。ランプ装置１００は、支持フレーム１１０と、ＬＥＤアレイソース１２０と、ライトフィルタ１２８と、２つのエンドキャップ１３０と、２組の電極１４０を含んでいる。ＬＥＤアレイソース１２０は、支持フレーム１１０に配置されている。ライトフィルタ１２８は、円弧形状であり、管状構造１０８として支持フレーム１１０と組み合わされており、ライトフィルタ１２８の円弧表面はＬＥＤアレイソース１２０の光出射表面である。ライトフィルタ１２８は、ＬＥＤアレイソース１２０の出射光の特定の波長域の光線を吸収するために用いられている。２つのエンドキャップ１３０は、管状構造１０８の２つの端にそれぞれ配置されている。２組の電極１４０は、管状構造１０８の２つの端に配置されており、ＬＥＤアレイソース１２０に電気的に接続するためにエンドキャップ１３０にそれぞれ実装されている。
【００１５】
選択的な実施形態において、ライトフィルタ１２８は、２つの長い側面Ｌ１及びＬ２と２つの短い側面Ｓ１及びＳ２を有している。ライトフィルタ１２８の長い側面Ｌ１及びＬ２は支持フレーム１１０の２つの側面に固定され、ライトフィルタ１２８がＣ形状の曲がり１２８ａを形成するように、ライトフィルタ１２８の２つの短い側面Ｓ１及びＳ２は長い側面Ｌ１及びＬ２に沿って内向きにカールしている。その上、ライトフィルタ１２８の２つの長い側面Ｌ１及びＬ２は、曲がり１２８ａの水平方向に沿って延びており、ライトフィルタ１２８の２つの短い側面Ｓ１及びＳ２は曲がり１２８ａの接線方向に沿って延びている。
【００１６】
選択的な実施形態において、ライトフィルタ１２８は、特定の波長域の光線を吸収するために、光吸収剤或いは光線感作物質を含んでいる。有機化合物のような光吸収剤はライトフィルタ１２８にペーストされてよく、或いはライトフィルタ１２８の製造工程の間にライトフィルタ１２８に混合されてよい。円弧形状のカバーとして直接的に形成されてよいライトフィルタ１２８は、特定の波長域の光線を吸収することができるので、ランプ装置１００の表面をプラスチックフィルムでカプセル化する必要はない。
【００１７】
加えて、ライトフィルタ１２８の製造の間、管状構造１０８を形成するためにライトフィルタ１２８が２つの溝Ｔ１及びＴ２を介して支持フレーム１１０に固定されることができるように、バー形状の溝Ｔ１及びＴ２はライトフィルタ１２８の長い側面の２つの向かい合った側面に沿ってそれぞれ形成されてよい。
【００１８】
図１を参照するに、選択的な実施形態において、熱分散金属のようなもので形成されている、支持フレーム１１０は、十分な強度と厚さを有している。支持フレーム１１０は、バー形状であり、ＬＥＤアレイソース１２０を管状構造１０８の中に水平方向（２つの長い側面Ｌ１及びＬ２）に沿って固定するために用いられ、熱がＬＥＤ群１２４の中に集中したり、発光効率に影響を及ぼしたりしないように、ＬＥＤ群１２４により発生される熱を吸収する。
【００１９】
ＬＥＤアレイソース１２０は、支持フレーム１１０の上に配置されており、回路基板１２２及び複数のＬＥＤ群１２４を有している。アルミニウム基板のようなものにより実現される回路基板１２２は、垂直方向に接続された幾つかの回路基板により形成されてよい。回路基板１２２は、支持フレーム１１０の上にＬＥＤ群１２４を固定するために用いられる。回路基板１２２の短い横の側面は、同じ側に位置する２つの電極１４０を接続するために、アノードワイヤー端子とカソードワイヤー端子をそれぞれ有している。選択的な実施形態において、ＬＥＤアレイソース１２０の回路基板１２２は、支持フレーム１１０の上に接着されてよい。ＬＥＤ群１２４は、アレイ光源を形成するために、アレイの形式で回路基板１２２の上に配置されている。さらには、管状構造１０８は、ＬＥＤアレイソース１２０の出射光を均等に拡散するために、内部に配置されるライトイコライザ或いはディフューザーを有している。
【００２０】
さらに、管状構造１０８の２つの端が閉ざされるように、エンドキャップ１３０は、管状構造１０８の２つの端に配置されている。選択的な実施形態において、エンドキャップ１３０は、ＤＣ電流を供給し、管状構造１０８の中のＬＥＤ群１２４がエレクトロルミネセンスを発生することができるようにするために、内部に配置されたスターターを有してよい。選択的な実施形態において、スターターは、また支持フレーム１１０の下に配置されてもよい。
【００２１】
また、各組の電極１４０は、プラスの電極１４１とマイナスの電極１４２を含んでいる。各組の電極１４０は、管状構造１０８の一端に配置され、エンドキャップ１３０の上に実装され、必要な電力を提供するためにＬＥＤアレイソース１２０の回路基板１２２に電気的に接続するために外部電源に接続されている。各組の電極１４０の一端は水平方向（２つの長い側面Ｌ１及びＬ２）に沿ってエンドキャップ１３０から突き出されており、蛍光灯のためのソケットにインサートされてよい。従って、本実施形態のランプ構造１００は従来型の蛍光灯に取って代わることができる。さらに、従来型の蛍光灯に比べて、ランプ装置１００のＬＥＤ群１２４は長い寿命を有し、低い取り替え頻度で、高い発光効率で、それ故に電力消費を抑える。
【００２２】
第２の実施形態：平板形状ランプ
【００２３】
図２Ａ及び２Ｂを参照する。図２Ａは、第２の実施形態に従ったランプ装置の概念図を示している。図２Ｂは、第２の実施形態に従ったランプ装置の断面図を示している。ランプ装置２００ａは、支持フレーム２１０と、第１ＬＥＤアレイソース２００ａと、第２ＬＥＤアレイソース２２０ｂと、リフレクタ２２５と、ライトガイドプレート２２６及び２つのライトフィルタ２２８を含む。支持フレーム２１０は平板形状であり、上方表面２１０ａ及び下方表面２１０ｂを有しており、支持フレーム２１０の４つの側面は上方表面２１０ａ及び下方表面２１０ｂに接続されている。支持フレーム２１０の第１側面Ｗ１と第３側面Ｗ３は互いに平行であり、支持フレーム２１０の第２側面Ｗ２と第４側面Ｗ４は互いに平行であり、支持フレームは、第１カバー２１１及び第２カバー２１３をそれぞれ形成するために、第１側面Ｗ１及び第３側面Ｗ３から上方表面２１０ａに垂直方向に上方に延びており、第１カバー２１１及び第２カバー２１３は、共に内壁を有している。第１ＬＥＤアレイソース２２０ａは第１カバー２１１の内壁に配置されている。第２ＬＥＤアレイソース２２０ｂは第２カバー２１３の内壁に配置されている。リフレクタ２２５は支持フレーム２１０の上方表面２１０ａに配置されている。ライトガイドプレート２２６はリフレクタ２２５の上に配置されている。ライトガイドプレート２２６の２つの側面の光入射表面２２６ａは、ライトガイドプレート２２６の光出射表面２２６ｂに向けて第１及び第２ＬＥＤアレイソース２２０ａ及び２２０ｂの出射光をガイドするために、第１及び第２ＬＥＤアレイソース２２０ａ及び２２０ｂのそれぞれに向かい合っている。２つのライトフィルタ２２８は、第１及び第２ＬＥＤアレイソース２２０ａ及び２２０ｂの出射光の特定の波長域の光線を吸収するために、第１及び第２ＬＥＤアレイソース２２０ａ及び２２０ｂとライトガイドプレート２２６の２つの側面の光入射表面２２６ａとの間に配置されている。
【００２４】
選択的な実施形態において、ライトフィルタ２２８は、特定の波長の光線を吸収するために、光吸収剤或いは光線感作物質を含んでいる。有機化合物のような光吸収剤はライトフィルタ２２８にペーストされてよく、或いはライトフィルタ２２８の製造工程の間にライトフィルタ２２８に混合されてよい。特定の波長域の光線を排除するためにライトフィルタ２２８によりフィルタがかけられる、第１及び第２ＬＥＤアレイソース２２０ａ及び２２０ｂの出射光は、ライトガイドプレート２２６に入射する。ライトガイドプレート２２６の光出射表面２２６ｂは上方い向かい合い、ライトガイドプレート２２６の底は、横の側面から光出射表面２２６ｂに向けて入射される入射光を反射するためにリフレクタ２２５を有している。ライトガイドプレート２２６の光出射表面２２６ｂは、第１及び第２ＬＥＤアレイソース２２０ａ及び２２０ｂの出射光を均等に拡散するために、さらに、ディフューザー、プリズム、或いはそれらの組み合わせにより形成されるフィルムにより実現される光学フィルム２２７を有する。
【００２５】
選択的な実施形態において、熱分散金属のようなものにより形成されている支持フレーム２１０は、十分な強度と厚さを有している。支持フレーム２１０は平板形状であり、第１及び第２ＬＥＤアレイソース２２０ａ及び２２０ｂが水平方向に沿ってライトガイドプレート２２６の２つの側面に配置され、第１カバー２１１及び第２カバー２１３の中に固定され、熱がＬＥＤ群２２４の中に集中し発光効率に影響を及ぼさないようにＬＥＤ群２２４により発生された熱が支持フレーム２１０により吸収されるように、第１カバー２１１及び第２カバー２１３がＵ字形で支持フレーム２１０の２つの側面に形成される。
【００２６】
図２Ｂを参照するに、第１及び第２ＬＥＤアレイソース２２０ａ及び２２０ｂは回路基板２２２及び複数のＬＥＤ２２４をそれぞれ含んでいる。回路基板２２２は、ＬＥＤ群２２４を第１カバー２１１及び第２カバー２１３の内壁に固定するために用いられる。選択的な実施形態において、第１及び第２ＬＥＤアレイソース２２０ａ及び２２０ｂの回路基板２２２は第１カバー２１１及び第２カバー２１３の内壁に接着されてよい。回路基板２２２は、ＬＥＤ群２２４が照射できるようにするために、スターターを介してＤＣ電流を提供してよい。さらに、従来型の蛍光灯と比較して、ランプ装置２００のＬＥＤ群２２４は長い寿命、低い取り替え頻度、高い発光効率を有するので、より電力消費が抑えられる。
【００２７】
第３の実施形態：平板形状ランプ
【００２８】
図３Ａ及び図３Ｂを参照する。図３Ａは第３の実施形態に従ったランプ装置の概念図を示す。図３Ｂは第３の実施形態に従ったランプ装置の断面図を示す。本実施形態のランプ装置２００ｂは、第２の実施形態のランプ装置と、第１及び第２ＬＥＤアレイソース２２０ａ及び２２０ｂの出射光の特定の波長域の光線を吸収するためにライトフィルタ２３０がライトガイドプレート２２６の光出射表面２２６ｂの上に配置されている、との点で異なっている。
【００２９】
選択的な実施形態において、ライトフィルタ２３０は、特定の波長域の光線を吸収するために、光吸収剤或いは光線感作物質を含んでいる。有機化合物のような光吸収剤はライトフィルタ２３０にペーストされてよく、或いはライトフィルタ２３０の製造工程の間にライトフィルタ２３０に混合されてよい。平板形状のライトフィルタ２３０は、第１カバー２１１及び第２カバー２１３の間に固定され、ライトガイドプレート２２６がライトフィルタ２３０と支持フレーム２１０の間に位置するように、支持フレーム２１０の上方の表面２１０ａから特定の距離を維持する。
【００３０】
加えて、ライトガイドプレート２２６の底は、横の側面から光出射面２２６ｂに向けてライトガイドプレート２２６に入射された、第１及び第２ＬＥＤアレイソース２２０ａ及び２２０ｂの出射光を反射するために、リフレクタ２２５を有している。その結果、特定の波長域の光線は、ライトフィルタ２３０によりフィルタがかけられる。
【００３１】
図４を参照するに、実施形態に従ったライトフィルタにより特定の波長域の光線が吸収された後の光束の系統図が示される。図４に示されるように、ライトフィルタは、波長が５００ｎｍ未満である光を吸収することができ、そのようなレンジは、近紫外光（２８０ｎｍ〜４００ｎｍ）の波長帯と可視光（４００ｎｍ〜５００ｎｍ）の一部の波長帯をカバーする。このように、本実施形態のライトフィルタは、感光性材料に露出反応を引き起こすかもしれなくて、フォトリソグラフィプロセスにおいて更に産出率を増すかもしれない波長にフィルタをかけて取り除くことで、特定の波長域の光線を吸収することができる。加えて、ライトフィルタの光吸収特性は、光吸収材或いは光線感作物質の混合方式が異なることで変わり、吸収される光の特定の波長は紫外光のそれに限定されない。
【００３２】
本発明の実施形態で開示されたランプ装置は以下に例示されるような多くの特徴を有している。
【００３３】
（１）特定の波長域の光線はライトフィルタにより吸収されるので、特定の波長の光線を出射する従来型の蛍光灯は使用されず、特定の波長域の光はリークすることもなく、製造工程の産出率に影響を及ぼさない。
【００３４】
（２）選択的な実施形態において、従来型の蛍光灯に取って代わるために、ライトフィルタは円弧形状の支持フレームと管状構造として組み合わされてよい。
【００３５】
（３）選択的な実施形態において、ライトフィルタとＬＥＤアレイソースは、ライトガイドプレートの光出射表面に向けて出射される光が均等に拡散されるように、ライトガイドプレートの後ろ側の光入射表面に配置されてよい。
【００３６】
（４）選択的な実施形態において、特定の波長域の光線を直接的に吸収するために、ライトフィルタは平板形状の支持フレームと平板形状のランプとして組み合わされてよく、それ故に組み立て時間とコストを節約する。
【００３７】
本発明は、例示の方法により、及び好ましい実施形態という点から言及されたが、本発明はそれらには限定されないものとして理解される。それどころか反対に、様々な修正と類似のアレンジメント及び手段をカバーすることを意味し、そして、添付の請求項の範囲は、従って、全てのそのような修正と類似のアレンジメントと手段を含むために、最も幅広い解釈が与えられなければならない。
【符号の説明】
【００３８】
１０８  管状構造
１１０  支持フレーム
１２０  ＬＥＤアレイソース
１２２  回路基板
１２４  ＬＥＤ群
１２８  ライトフィルタ
１２８ａ  曲がり
１３０  エンドキャップ
１４０  電極
【図１】
2012104480.tif 000003
【図２Ａ】
2012104480.tif 000004
【図２Ｂ】
2012104480.tif 000005
【図３Ａ】
2012104480.tif 000006
【図３Ｂ】
2012104480.tif 000007
【図４】
2012104480.tif 000008